(57)【特許請求の範囲】
【請求項１】
箱本体の内部に収納されて物品を緩衝支持する支持部材であって、
底板と、前記底板の両側部から立ち上がる一対の壁部材と、一方の壁部材から他方の壁部材に向かって伸び出す蓋板とを有する支持部材本体と、
前記支持部材本体の両端部に形成された切り込みを利用して取り付けられた左右一対の端部材とを備え、
前記各端部材は、
前記支持部材本体の端部に配置される側壁と、
前記支持部材本体を支持する脚部と、
前記蓋板が設けられていない側の前記壁部材の外面に沿って上方に伸びる係止部とを一体に有し、
前記係止部の上部の内側縁部には前記蓋板の肉厚に相当する幅の切欠部が形成されており、
前記蓋板は、
前記底板の上方を覆う胴部と、
前記胴部の先端部を上向きに折り曲げて形成した係止板と、
前記係止板の折り曲げ部から下向きに突出させた突出片とを有し、
前記蓋板の前記係止板を前記壁部材と係止部の切欠部との間に形成される隙間に嵌合させるとともに、前記係止板を前記壁部材の外面に重なり合わせることにより蓋板を閉じた状態で固定できるようにした、支持部材。
【請求項２】
前記支持部材本体の両端部に取り付けられる前記一対の端部材は、一種類の端部材を一方の端部材に対し表裏反転して他方の端部材として支持部材本体に取り付けた、請求項１に記載の支持部材。
【請求項３】
前記蓋板を閉じた状態で前記係止板の上端部が、前記箱体の上蓋の内壁面に当接する、請求項１または２に記載の支持部材。
【発明の詳細な説明】
【技術分野】
【０００１】
本発明は、複写機やプリンター等の画像形成装置に用いるサービスパーツや消耗部品あるいは、電子機器等の物品を緩衝支持した状態で収納するに適した支持部材に関するものである。
【背景技術】
【０００２】
従来、画像形成装置に用いる各種部品等の梱包には、緩衝支持のために発泡スチロール塊等を梱包箱に詰め込んでいた。しかしながら、発泡スチロールは焼却時に有害物質を発生する等の問題があり、環境保全上の見地から使用が好ましくないので、発泡スチロールを用いないか、またはその使用量を極力少なくしても物品をうまく緩衝支持できる梱包方法に対する要求が高くなっている。
【０００３】
このため、梱包材料である段ボール紙を利用して、緩衝効果を得る構造がいろいろ提案されている。その例を下記特許文献に示す。
【０００４】
下記特許文献１に開示されているものは、梱包箱内に格子状の仕切部を収納して区画した複数の収納部に、突起部を有する物品を収納するもので、前記収納部の大きさは、突起部を除く物品を収納でき、かつ突起部を含む物品を収納できない大きさとするとともに、仕切部の面に、収納した物品の突起部が挿通される挿通孔を形成したものである。
【０００５】
また、下記特許文献２に開示されているものは、段ボール製箱体と、収容物品の離隔用仕切り部材とからなり、前記仕切り部材は、収納物品に対して弾性的に折り曲げ可能な折り曲げ片を有する段ボール材で構成し、この折り曲げ片を箱体と収容物品との隙間に折り曲げて配置するものである。
【特許文献１】特開平０８−１１９２５５号公報
【特許文献２】特開平０９−３１５４２３号公報
【発明の開示】
【発明が解決しようとする課題】
【０００６】
上記特許文献に記載のものは、いずれも仕切り部等の支持部材に物品を支持して梱包用の箱体に収納するものであるが、特許文献１に記載の梱包箱は、もっぱら栓刃付きトランスのような突起部のある物品を複数個収納するために使用するもので、収納された物品の上部には別部材の上敷板を載置しているのみである。よって、物品の上下移動を抑制することは期待できない。
【０００７】
また、特許文献２に記載の梱包箱は、側壁の上部に突き出た折り曲げ片の弾力で上下方向の緩衝効果を得ようとするものであるが、物品の上下移動自体を抑制することは期待できない。押さえることは出来ない。この構造だけでは緩衝効果がそれほど期待できない。
【０００８】
従って、これらの文献に開示されているものは、物品の支持は上下方向に不安定となりやすい。
【０００９】
そこで本発明は、上記従来の梱包箱に使用される支持部材のこのような課題を考慮して、支持した物品の上側に被せることのできる開閉可能な蓋体を設けるとともに、この蓋体を閉状態で固定することのできる支持部材を提供することを目的としている。
【課題を解決するための手段】
【００１０】
上記課題を解決するため、第１の本発明は、箱本体の内部に収納されて物品を緩衝支持する支持部材であって、
底板と、前記底板の両側部から立ち上がる一対の壁部材と、一方の壁部材から他方の壁部材に向かって伸び出す蓋板とを有する支持部材本体と、
前記支持部材本体の両端部に形成された切り込みを利用して取り付けられた左右一対の端部材とを備え、
前記各端部材は、
前記支持部材本体の端部に配置される側壁と、
前記支持部材本体を支持する脚部と、
前記蓋板が設けられていない側の前記壁部材の外面に沿って上方に伸びる係止部とを一体に有し、
前記係止部の上部の内側縁部には前記蓋板の肉厚に相当する幅の切欠部が形成されており、
前記蓋板は、
前記底板の上方を覆う胴部と、
前記胴部の先端部を上向きに折り曲げて形成した係止板と、
前記係止板の折り曲げ部から下向きに突出させた突出片とを有し、
前記蓋板の前記係止板を前記壁部材と係止部の切欠部との間に形成される隙間に嵌合させるとともに、前記係止板を前記壁部材の外面に重なり合わせることにより蓋板を閉じた状態で固定できるようにした、支持部材である。
【００１１】
また、第２の本発明は、上記支持部材本体の両端部に取り付けられる前記一対の端部材は、一種類の端部材を一方の端部材に対し表裏反転して他方の端部材として支持部材本体に取り付けた、上記第１の本発明の支持部材である。
【００１２】
また、第３の本発明は、上記蓋板を閉じた状態で前記係止板の上端部が、前記箱体の上蓋の内壁面に当接する、上記第１または第２の本発明の支持部材である。
【発明の効果】
【００１３】
本発明は、支持した物品の上側に被せることのできる開閉可能な蓋体を設けるとともに、この蓋体を閉状態で固定することのできる支持部材を提供することが出来るという効果を発揮する。
【発明を実施するための最良の形態】
【００１４】
以下、本発明の実施形態について図面に基づいて具体的に説明する。図１は、本発明に係る支持部材の構造を示すとともに、物品梱包箱１（以下「梱包箱」と略すこともある）を表している。
【００１５】
同図に示すとおり、梱包箱１は、箱本体２と支持部材３とを備えている。箱本体２は通常使用される段ボール箱であり、支持部材３は、複数の弾力のある段ボール紙片を折り曲げて組み立てられている。
【００１６】
図２は支持部材３の組み立て状態を、また図３はその分解状態を表すもので、この支持部材３は、大きく分けて支持部材本体５と左右一対の端部材４とで構成される。支持部材本体５は、底板６と該底板６を挟む一対の壁部材７、８と、蓋板１０とを一体に備えている。
【００１７】
図４は、上記支持部材本体５の展開図であり、この支持部材本体５は、１枚の段ボール紙から切り出して形成されている。同図において、底板６の両側には壁部材７、８が一体に設けられ、底板６の幅を決める切り目９は、壁部材７、８の中間部まで切り込まれている。これら壁部材７、８を折り目Ｌに沿って折り曲げる（図では谷折り）ことにより、壁部材７、８が底板の両側に起立するようになっている。
【００１８】
一方の壁部材７の起立状態における上端部には１対の凹部１２、１３が形成され、該１対の凹部の間には所定幅の突出部１５が形成されている。一方の凹部１２は、反対側の凹部１３と同じ深さの凹部１２ａと、該凹部１２ａからさらに深く切り込まれた細い凹部１２ｂとを備えている。他方の凹部１３はほぼ角型であり、その幅は前記凹部１２ａとほぼ同じとなっている。これらの凹部は、壁部材の剛性を低減し、緩衝効果を向上させるためのものである。
【００１９】
壁部材７の下部には、下端部から上に向かって切り込まれた左右一対の切り込み１７が形成されている。また、壁部材７の左右両端部には、小さな角型の切欠１８と、横方向の短い切り込み１９がそれぞれ形成されている。
【００２０】
他方の壁部材８の起立状態における上端部には、左右一対の凹部２２、２３が形成され、該一対の凹部の間には、蓋板１０が一体に形成されている。蓋板１０の胴部１０ａの先端部には、拡径部２５が一体形成され、該拡径部２５に入れられた切り目２６によって舌状の突出片３０が形成されている。この突出片３０の基部には、前記拡径部２５の全幅にわたって破線で示す折り目Ｌが入れられており、この折り目で図の谷折りに折り曲げることにより、上向きに張出する係止板３３が形成されるとともに、前記突出片３０が下向きに突出するようになっている。
【００２１】
壁部材８の下部には、前記壁部材７と同様に、下端部から上に向かって切り込まれた左右一対の切り込み１７が形成されている。また、壁部材８の左右両端部には、小さな角型の切欠１８と、横方向の短い切り込み１９がそれぞれ形成されている。なお、支持部材本体５の展開状態における中央部には、これら底板６と壁部材７、８に連通する４筋のスリット３２が形成されている。
【００２２】
つぎに、図５は、端部材４を展開して表した図で、この端部材４も１枚の段ボール紙から切り抜いて形成されている。端部材４は、中央部に脚部４０の下面を構成する脚部底板４１が形成され、該脚部底板４１の両側に受け部４２と、側壁４５がそれぞれ一体形成されている。前記受け部４２は、物品を受ける支持凹部４７を備えている。この支持凹部４７は、梱包する物品の外形に適応する凹凸形状に形成されている。図示例では、支持凹部４７は中心線に対し非対称形であり、具体的には、支持凹部４７の図５における左側の縁部には一つの段部４７ａが形成されているだけであるが、図の右側の縁部には、最上部の段部４７ｂと、その下側の２段の段部４７ｃ、４７ｄとが形成され、最下部は底部４７ｅとなっている。なお、前記最上部の段部４７ｂは、上方に突出した係止部４２ａの内側に切欠部として形成されており、蓋板１０の係止板３３が係止される切欠部である。組立状態では、この係止部４２ａの段部（切欠部）４７ｂと壁部材８の外面との間に段ボール紙の厚みに相当する隙間ｔが形成される。尚、本発明の「蓋板の肉厚に相当する幅の切欠部」の一例が、上記係止部４２ａの段部（切欠部）４７ｂに該当する。
【００２３】
また、この受け部４２には、該受け部の剛性を減らして緩衝効果を向上させるための１対の穴４８が形成されている。この係止板３３は、組み立て状態で、その上側端部３３ａが、箱本体２の上蓋の内壁面に当接するので、蓋板１０が衝撃で開放されることを防止出来る。また、蓋板の中央部は、緩衝用の部材となる。
【００２４】
なお、上記端部材４は、図中のＬａで表された折り目によって折り曲げられるが、この折り目Ｌａには間欠的なミシン目状の切り目が入れられており、表裏両側への折り曲げが容易である。
【００２５】
さらに、端部材４の脚部底板４１には、側壁４５に入れた切り目４９によって突出部５０が形成されている。この突出部５０は、組み立て状態で端部材４から外方へ突出して、箱本体２の内面に当接する緩衝用の部材となる。
【００２６】
前記側壁４５の幅方向両端部付近には、１対の切り込み５１が形成されている。また、この側壁４５の先端側には、破線（鎖線）で示す折り目によって区画される天板部５５が形成されている。さらに、この天板部５５の先端側には、外壁５７が形成され、この外壁５７の基部には拡径部５６が形成され、外壁５７の先端部には１対の連結部材５８が該外壁５７から両側部に張出するように一体形成されている。連結部材５８の端部には切り込み５９がそれぞれ形成されている。
【００２７】
前記支持部材本体５は、図中の折り目Ｌ（破線で示す）に沿って折り曲げることにより、底板の両側に壁部材７、８を備えた概略溝状に形成される。また、前記端部材４は、これも折り目Ｌａ、Ｌに沿って折り曲げることにより、底板４１の両側に受け部４２と側壁４５とが起立状態に形成され、該側壁４５の外側には水平な天板部５５を介して垂直な外壁５７が形成されたジグザグ状の形状に成形される。さらにその先端の前記連結部材５８は、該外壁５７から内向きに折り曲げられる。この折り曲げ状態を図６に示す。
【００２８】
この端部材４は、支持部材本体５の長手方向両端部付近にそれぞれ組み付けられる。組み立て状態では、前記受け部４２が支持部材本体５の底板６と壁部材７、８に連接したスリット３２に嵌合し、前記連結部材５８に設けた切り込み５９が支持部材本体５の端部に設けた切り込み１９に係合する。また、前記側壁４５の幅方向両端部付近に設けた１対の切り込み５１と、支持部材本体５の切り込み１７とが互いに係合する。なお、外壁５７の拡径部５６は、支持部材本体５の切欠１８に係合する。このように、各部材に形成された切り込みやスリットに相手の部材を係止ないし係合させることにより端部材４を支持部材本体５に組み付けるので、両者の固定は確実で堅牢なものとなる。
【００２９】
組み立てられた支持部材３に図８に示すような物品Ｐを載置しする場合は、当該物品を底板６上に載置するが、該物品の凹凸状の外面は受け部４２の凹部４７で支持する。図示例の凹部４７には、当該物品の凹凸外形に適合するような段部が形成されているので、異形物品でも確実に支持することができる。
【００３０】
物品Ｐを載置したら、図７に示すように、その上から蓋板１０を被せる。この場合、蓋板１０は、その先端部の係止板３３を前記端部材の受け部の上端部に形成された段部（切欠部）４７ｂと壁部材７の外面との間の隙間ｔに係合させるとともに、舌状の突出片３０を当該壁部材７の外面に重なり合わせて密着させる。また、係止板３３の裏面には、壁部材７に形成した上向きの突出部１５が密着状態で重なり合う。これにより、蓋板１０がしっかりと固定される。
【００３１】
つぎに、上記端部材４は、左右非対称的の受け部４２を備えていて、凹凸外形を有する異形物品の外面を当該受け部で受けるので、組み立て状態では、支持部材本体５の両端部に設けられている１対の端部材４では受け部４２の向きが揃っている必要がある。このためには、反対側の端部材として、鏡像体の関係にある端部材４を別途用意しておく必要があるが、上記実施形態における端部材４は、ミシン目状の切り目を入れた折り目に沿って受け部４２を表裏両側に簡単に折り曲げることができるので、１対の端部材で折り曲げ方向を逆にし、互いに逆向きに組み付けることにより、１種類の端部材を両側の端部材として共用することが可能である。このため、部品数を少なくすることができ、部品管理の手間を少なくし、製造コストも削減することが可能となる。
【００３２】
なお、受け部４２の凹部に異形物品用の凹凸を形成しておかない場合でも、上記蓋板１０を係止するための切り欠き（段部４７ｂ）は必要であるため、左右の端部材が非対称となることはやむを得ない。したがって、異形物品の保持のためだけに限らず、上記のように、端部材を表裏反転使用できるようにしておくのが好ましい。
【００３３】
以上述べたように、物品を緩衝支持するための支持部材としては、物品を載置する底板と該底板の両側に設けられる側壁及び前後端部の壁を有する箱状に形成するとともに、物品載置用の底板を浮き上がられて支持するための脚部を所定の間隔をおいて設けたものが好ましく、さらに物品の上に被せて固定する蓋板を被設けておくのが好ましい。
【００３４】
また、外面に凹凸のある異形物品の場合は、底板に載置するだけではなく、その凹凸外面を何らかの部材で支持しておくのが好ましい。
【００３５】
そこで上記実施の形態で述べた物品梱包用の支持部材は、支持した物品の上側に被せることのできる開閉可能な蓋体を設けるとともに、この蓋体を閉状態で確実に固定することができる。
【００３６】
また、上記物品梱包用の支持部材は、比較的簡単な構造で、外面に凹凸のある異形物品でも確実に緩衝支持することができる。
【００３７】
よって、本発明に係る支持部材は、底板上に載置された物品を１対の壁部材と１対の側壁とで囲んで支持し、その上に蓋板を被せて保護するので、物品の緩衝支持が確実である。また、蓋板が一方の壁部材から他方の壁部材に向かって伸び出すように形成され、該蓋板の先端部に一体形成された係止板を前記端部材の受け部の内側に形成された切欠部（段部）と壁部材外面との隙間に嵌合し、該蓋板の下向き突出片を壁部材の外面に重ね合わせることにより閉じた状態で固定できるので、蓋板の固定構造が簡単であり、しかも確実に閉状態で固定することができる。
【００３８】
また、支持部材本体の両端部付近に取り付けられる端部材に、異形物品の凹凸外形に適合するような凹凸部を備え、底板上に突出する受け部を設けておくと異形物品の保持がより確実となる。さらに、この受け部を、表裏いずれの側にも折り曲げて使用することができるようにしておくと、１種類の端部材を両端部に共用することができるので、部品点数が少なくてすむという大きなメリットがある。
【００３９】
尚、上記実施の形態では、左右に配置された端部材４を共用化した場合について述べたがこれに限らず例えば、左右の端部材をそれぞれ左専用の部材と右専用の部材として別々に構成しても良い。
【００４０】
また、上記実施の形態では、ミシン目状の切り込みを入れた折り目を形成する場合について説明したが、これに限らず例えば、ミシン目状の切り込みを入れないで、単に段ボール紙の表面を線状に押圧した折り目だけを形成した構成でも良い。
【産業上の利用可能性】
【００４１】
本発明に係る支持部材は、複写機やプリンター等の画像形成装置に用いるサービスパーツや消耗部品あるいは、電子機器等の物品を緩衝支持した状態で収納するに適した支持部材の分野で効果的に使用することができ、支持した物品の上側に被せることのできる開閉可能な蓋体を設けるとともに、この蓋体を閉状態で固定することが出来る。
【図面の簡単な説明】
【００４２】
【図１】本発明の実施の形態の梱包箱と支持部材の構成を表す斜視図
【図２】本実施の形態の支持部材の組み立て状態における斜視図
【図３】本実施の形態の支持部材の分解図
【図４】本実施の形態の支持部材本体の展開図
【図５】本実施の形態の支持部材に用いる端部材の展開図
【図６】本実施の形態の支持部材に用いる端部材の折り曲げ状態を表す斜視図
【図７】本実施の形態において、物品を支持部材に固定した状態を表す斜視図
【図８】本実施の形態の支持部材に収納する物品の外観図
【符号の説明】
【００４３】
１        梱包箱
２        箱本体
３        支持部材
４        端部材
５        支持部材本体
６        底板
７        壁部材
８        壁部材
１０        蓋板
３０        突出片
３３        係止板
４２        受け部
４２ａ      係止部
４５        側壁
４７        外壁
４７ｂ      段部（切欠）
【図１】
0005035981.tif 000002
【図２】
0005035981.tif 000003
【図３】
0005035981.tif 000004
【図４】
0005035981.tif 000005
【図５】
0005035981.tif 000006
【図６】
0005035981.tif 000007
【図７】
0005035981.tif 000008
【図８】
0005035981.tif 000009